(57)【要約】【課題】安定した畦塗り作業ができる畦塗り機を提供する。【解決手段】畦塗り機１は、土を盛り上げる盛土体３と、この盛土体３による盛土を締め固めて畦側面を形成する畦側面形成体６とを備える。畦側面形成体６は、回転方向に並んで位置して互いに大きさが異なる少なくとも２種類で複数枚の畦側面形成板である面板31，32を有する。各面板31，32は、畦側面形成体６の回転時に、盛土体３による盛土を回転方向後側で押し込んで締め固める。【選択図】図１
2015019624.tif 000002
【特許請求の範囲】
【請求項１】
土を盛り上げる盛土体と、
回転しながら前記盛土体による盛土を締め固めて畦側面を形成する畦側面形成体とを備え、
前記畦側面形成体は、
この畦側面形成体の回転方向に並んで位置し、互いに大きさが異なる少なくとも２種類で複数枚の畦側面形成板と、
前記畦側面形成体の回転方向に互いに隣り合う前記畦側面形成板間に形成された段差部とを有し、
前記各畦側面形成板は、前記畦側面形成体の回転時に、前記盛土体による盛土を回転方向後側で押し込んで締め固める
ことを特徴とする畦塗り機。
【請求項２】
畦側面形成体は、
一の畦側面形成板と、
この一の畦側面形成板と回転方向前後に隣り合う他の畦側面形成板とを有し、
前記両他の畦側面形成板のうちの少なくともいずれか一方は、前記一の畦側面形成板と大きさが異なる
ことを特徴とする請求項１記載の畦塗り機。
【請求項３】
互いに隣り合う畦側面形成板間の段差部の高さ寸法が、それら両畦側面形成板のうちの回転方向後側の畦側面形成板の大きさに応じて設定されている
ことを特徴とする請求項１または２記載の畦塗り機。
【請求項４】
互いに隣り合う畦側面形成板間の段差部の高さ寸法が、それら両畦側面形成板のうちの回転方向前側の畦側面形成板の大きさに応じて設定されている
ことを特徴とする請求項１または２記載の畦塗り機。
【請求項５】
各畦側面形成板は、畦側面形成体の回転中心軸線からの距離が回転方向前端から回転方向後端に向かって徐々に増大するように配設され、
前記各畦側面形成板の回転方向前端の前記回転中心軸線からの距離が一定になるように、段差部の高さ寸法が前記畦側面形成板の大きさに応じて設定されている
ことを特徴とする請求項１ないし４のいずれか一記載の畦塗り機。
【請求項６】
各畦側面形成板は、畦側面形成体の回転中心軸線からの距離が回転方向前端から回転方向後端に向かって徐々に増大するように配設され、
前記各畦側面形成板の回転方向後端の前記回転中心軸線からの距離が一定になるように、段差部の高さ寸法が前記畦側面形成板の大きさに応じて設定されている
ことを特徴とする請求項１ないし４のいずれか一記載の畦塗り機。
【請求項７】
畦側面形成体は、
扇形状をなす畦側面形成板である大面板と、
この大面板の中心角よりも小さい中心角を有する扇形状をなす畦側面形成板である小面板とを有する
ことを特徴とする請求項１ないし６のいずれか一記載の畦塗り機。
【請求項８】
各畦側面形成板は、いずれも扇形状で、その中心角が２０°〜７２°である
ことを特徴とする請求項１ないし７のいずれか一記載の畦塗り機。
【発明の詳細な説明】
【技術分野】
【０００１】
本発明は、安定した畦塗り作業ができる畦塗り機に関するものである。
【背景技術】
【０００２】
従来、例えば特許文献１に記載された畦塗り機が知られている。
【０００３】
この従来の畦塗り機は、例えばトラクタ等の走行車の後部に連結される機体と、この機体に設けられ回転しながら土を盛り上げる盛土体と、機体に設けられ回転しながら盛土体による盛土を締め固めて畦側面を形成する畦側面形成体とを備えている。
【０００４】
また、畦側面形成体は、この畦側面形成体の回転方向に並んで位置して互いに大きさが等しい同一形状の複数枚の畦側面形成板（整畦板）と、畦側面形成体の回転方向に互いに隣り合う畦側面形成板間に形成された段差部とを有している。つまり、この畦側面形成体は、その回転中心側から外周側へ向けて次第に幅が広くなる側縁を有する複数の整畦板が、外周が円形に近似した形状となるように周方向に等間隔に配設されて構成される整畦ドラムを有している。
【先行技術文献】
【特許文献】
【０００５】
【特許文献１】特開２００３−７０３０３号公報（図４）
【発明の概要】
【発明が解決しようとする課題】
【０００６】
しかしながら、上記従来の畦塗り機では、畦側面形成体の各畦側面形成板の大きさが同じであるから、これら畦側面形成板による土の押圧間隔が一定間隔であり、このため、土の状態等の圃場条件によっては、安定した畦塗り作業ができないおそれがある。
【０００７】
本発明は、このような点に鑑みなされたもので、安定した畦塗り作業ができる畦塗り機を提供することを目的とする。
【課題を解決するための手段】
【０００８】
請求項１記載の畦塗り機は、土を盛り上げる盛土体と、回転しながら前記盛土体による盛土を締め固めて畦側面を形成する畦側面形成体とを備え、前記畦側面形成体は、この畦側面形成体の回転方向に並んで位置し、互いに大きさが異なる少なくとも２種類で複数枚の畦側面形成板と、前記畦側面形成体の回転方向に互いに隣り合う前記畦側面形成板間に形成された段差部とを有し、前記各畦側面形成板は、前記畦側面形成体の回転時に、前記盛土体による盛土を回転方向後側で押し込んで締め固めるものである。
【０００９】
請求項２記載の畦塗り機は、請求項１記載の畦塗り機において、畦側面形成体は、一の畦側面形成板と、この一の畦側面形成板と回転方向前後に隣り合う他の畦側面形成板とを有し、前記両他の畦側面形成板のうちの少なくともいずれか一方は、前記一の畦側面形成板と大きさが異なるものである。
【００１０】
請求項３記載の畦塗り機は、請求項１または２記載の畦塗り機において、互いに隣り合う畦側面形成板間の段差部の高さ寸法が、それら両畦側面形成板のうちの回転方向後側の畦側面形成板の大きさに応じて設定されているものである。
【００１１】
請求項４記載の畦塗り機は、請求項１または２記載の畦塗り機において、互いに隣り合う畦側面形成板間の段差部の高さ寸法が、それら両畦側面形成板のうちの回転方向前側の畦側面形成板の大きさに応じて設定されているものである。
【００１２】
請求項５記載の畦塗り機は、請求項１ないし４のいずれか一記載の畦塗り機において、各畦側面形成板は、畦側面形成体の回転中心軸線からの距離が回転方向前端から回転方向後端に向かって徐々に増大するように配設され、前記各畦側面形成板の回転方向前端の前記回転中心軸線からの距離が一定になるように、段差部の高さ寸法が前記畦側面形成板の大きさに応じて設定されているものである。
【００１３】
請求項６記載の畦塗り機は、請求項１ないし４のいずれか一記載の畦塗り機において、各畦側面形成板は、畦側面形成体の回転中心軸線からの距離が回転方向前端から回転方向後端に向かって徐々に増大するように配設され、前記各畦側面形成板の回転方向後端の前記回転中心軸線からの距離が一定になるように、段差部の高さ寸法が前記畦側面形成板の大きさに応じて設定されているものである。
【００１４】
請求項７記載の畦塗り機は、請求項１ないし６のいずれか一記載の畦塗り機において、畦側面形成体は、扇形状をなす畦側面形成板である大面板と、この大面板の中心角よりも小さい中心角を有する扇形状をなす畦側面形成板である小面板とを有するものである。
【００１５】
請求項８記載の畦塗り機は、請求項１ないし７のいずれか一記載の畦塗り機において、各畦側面形成板は、いずれも扇形状で、その中心角が２０°〜７２°であるものである。
【発明の効果】
【００１６】
本発明によれば、互いに大きさが異なる少なくとも２種類で複数枚の畦側面形成板が、盛土体による盛土を回転方向後側で押し込んで締め固めるため、土の状態等の圃場条件に拘わらず、安定した畦塗り作業ができる。
【図面の簡単な説明】
【００１７】
【図１】本発明の第１の実施の形態に係る畦塗り機の平面図である。
【図２】同上畦塗り機の畦形成体の側面図である。
【図３】同上畦形成体の畦側面形成体の断面図である。
【図４】（ａ）は畦側面形成板の側面図、（ｂ）はＡ−Ａ断面図、（ｃ）はＢ−Ｂ断面図である。
【図５】同上畦側面形成板の高さを説明するための説明図である。
【図６】本発明の第２の実施の形態に係る畦塗り機の畦側面形成板の高さを説明するための説明図である。
【図７】本発明の第３の実施の形態に係る畦塗り機の畦側面形成板の高さを説明するための説明図である。
【図８】本発明の第４の実施の形態に係る畦塗り機の畦形成体を示す図で、（ａ）が側面図、（ｂ）が正面図である。
【図９】本発明の第５の実施の形態に係る畦塗り機の畦側面形成体を示す図である。
【図１０】本発明の第６の実施の形態に係る畦塗り機の畦側面形成体を示す図である。
【図１１】本発明の第７の実施の形態に係る畦塗り機の畦側面形成体を示す図である。
【図１２】本発明の第８の実施の形態に係る畦塗り機の畦側面形成体を示す図である。
【発明を実施するための形態】
【００１８】
本発明の第１の実施の形態について図１ないし図５を参照して説明する。
【００１９】
図１において、１は畦塗り機で、この畦塗り機１は、例えば走行車であるトラクタ（図示せず）の後部に連結され、トラクタの前進走行により前方（進行方向）に移動しながら畦塗り作業をするものである。なお、圃場の隅部における後進作業時（リターン作業時）においては、畦塗り機１は、トラクタの後進走行により後方（進行方向）に移動しながら畦塗り作業をする。
【００２０】
畦塗り機１は、トラクタの後部の３点リンク部（作業機昇降装置）に脱着可能に連結される機体２と、この機体２に回転可能に設けられ所定方向に回転しながら田面および元畦の土を耕耘して盛り上げる盛土体（ロータリー部）３と、機体２に回転可能に設けられ盛土体３の後方で所定方向である回転方向に回転しながら盛土体３による盛土を締め固めて新畦を形成する畦形成体（ディスク部）４とを備えている。
【００２１】
そして、畦形成体４は、回転方向に回転しながら盛土体３による盛土を締め固めて新畦の傾斜面状の畦側面を形成する円錐台状（略円錐台状を含む）の畦側面形成体６と、この畦側面形成体６の縮径端側に設けられこの畦側面形成体６と一体となって回転しながら盛土体３による盛土を締め固めて新畦の水平面状の畦上面を形成する円筒状（略円筒状を含む）の畦上面形成体７とを有している。なお、畦形成体４の周速は、この畦形成体４が畦側面および畦上面に対してスリップ状態で回転するように、トラクタの走行速度よりも速い。
【００２２】
また、畦塗り機１は、盛土体３を覆う盛土体カバー体８と、その盛土体３の前方で所定方向に回転しながら元畦の上面部を削る上面削り体９と、畦形成体４を覆う畦形成体カバー体（図示せず）とを備えている。
【００２３】
機体２は、図１に示されるように、トラクタの後部の３点リンク部に脱着可能に連結される機枠11を有している。機枠11は、軸保持部12を有し、この軸保持部12には入力軸（図示せず）が回転可能に設けられている。入力軸は、図示しないトラクタのＰＴＯ軸にジョイントを介して接続される。
【００２４】
また、機枠11には、盛土体３および畦形成体４をそれぞれ回転可能に支持する可動機枠15が連結手段16を介して連結されている。可動機枠15は、複数の伸縮可能な伸縮体であるシリンダ17の作動に基づいて機枠11に対して水平方向に移動可能となっている。このため、畦塗り機１による前進作業時には、前から順に上面削り体９、盛土体３および畦形成体４が並んで位置するが、圃場隅部での後進作業時には１８０度反転して前後逆となる。
【００２５】
さらに、可動機枠15は、盛土体保持部18および畦形成体保持部19を有し、盛土体保持部18に盛土体３が回転可能に設けられ、畦形成体保持部19に畦形成体４が回転可能に設けられている。
【００２６】
盛土体３は、機体２の入力軸側からの動力により回転する前後方向の回転軸である耕耘軸21と、この耕耘軸21の複数の爪ホルダー部22にそれぞれ脱着可能に取り付けられた盛土用の耕耘爪23とを有している。
【００２７】
畦形成体４は、機体２の入力軸側からの動力により回転する左右方向の回転軸26を有し、この回転軸26とともに円錐台状の畦側面形成体６および円筒状の畦上面形成体７が水平方向である左右方向の回転中心軸線Ｘを中心として回転するようになっている。
【００２８】
畦側面形成体６は、図１ないし図３に示されるように、この畦側面形成体６の回転方向に互いに近接した状態で並んで位置し、互いに大きさが異なる少なくとも２種類で複数枚の板状の畦側面形成板（面板）、すなわち例えば互いに中心角（扇中心角）の大きさが異なる２種類で８枚の扇形状の畦側面形成板31，32を有している。
【００２９】
つまり、この畦側面形成体６は、中心角αを有する扇形状をなす４枚（複数枚）の畦側面形成板である大面板31と、この大面板31の中心角αよりも小さい中心角βを有する扇形状をなす４枚（大面板31と同数の複数枚）の畦側面形成板である小面板32とを有しており、これら大面板31および小面板32の各々は、いずれも畦側面形成体６の回転時に盛土体３による盛土を回転方向後側で押し込んで締め固める。
【００３０】
なお、大面板31の中心角αは、例えば５５°であり、小面板32の中心角βは、例えば３５°である。このため、これら複数の面板31，32は、周方向に等間隔に配設されておらず、中心角の大きさによって間隔が異なっている。
【００３１】
そして、これら複数枚（例えば８枚）の面板31，32は、畦側面形成体６の回転方向に互いに隣り合うもの同士が連結部材である連結板33にて連結されて所定の円錐台状の整畦ドラムとなっている。
【００３２】
連結板33は、長手状のもので、幅方向両端側の平板部33aと、これら両平板部33a同士を一体に連結する断面Ｕ字状の曲板部33bとにて構成されている。そして、一方の平板部33aが互いに隣り合う面板31，32のうちの一方の面板31，32の回転方向前端部の内面に溶接により固着され、他方の平板部33aが互いに隣り合う面板31，32のうちの他方の面板31，32の回転方向後端部の内面に溶接により固着されている。
【００３３】
なお、図２から明らかなように、一の面板31，32（つまり大面板31または小面板32）と回転方向前後に隣り合う２枚の他の面板31，32のうちの少なくともいずれか一方（例えばいずれか一方のみ）は、その一の面板31，32と大きさが異なっている。すなわち、同じ大きさの面板が回転方向に３枚連続して並ぶことはなく、例えば２枚の大面板31と２枚の小面板32とが回転方向に交互に並んだ状態となっている。
【００３４】
ここで、各面板31，32は、例えばステンレス等の金属板からなるもので、いずれも同一の半径寸法を有する扇形状（略扇形状を含む）で、かつ、外面側が凸となるようにやや湾曲した曲面状に形成され、回転中心軸線Ｘを中心として放射状に配置されている。そして、各面板31，32の外面（盛土と接触する側の面）のうち回転方向後側に位置する部分が、盛土体３による盛土を押し込んで締め固める作用面（押圧面）34となっている。
【００３５】
また、畦側面形成体６は、この畦側面形成体６の回転方向に互いに隣り合う面板31，32間、つまり大面板31と大面板31との間、小面板32と小面板32との間および大面板31と小面板32との間に、回転方向前側が高くなるように形成された段差部35を有している。各段差部35は、側面視で回転中心軸線Ｘを中心とする仮想円の径方向に沿った長手状のもので、円錐台状の畦側面形成体６の外周面の法線方向に高さ寸法（高低差）を有している。
【００３６】
そして、図５に示されるように、互いに隣り合う面板31，32間の段差部35の高さ寸法（面板の回転方向後端とその面板に対して回転方向後方に隣り合う面板の回転方向前端との高低差）は、それら互いに隣り合う両面板31，32のうちの回転方向後側の面板31，32の大きさに応じて設定されている。換言すると、互いに隣り合う面板間の段差部35の高さ寸法である高低差は、それら両面板のうちの回転方向後側の面板の中心角が大きいと大きく、それら両面板のうちの回転方向後側の面板の中心角が小さいと小さい。
【００３７】
より具体的には、各面板31，32は、畦側面形成体６の回転中心軸線Ｘからの距離が回転方向前端から回転方向後端に向かって徐々に増大するように配設され、かつ、各面板31，32の回転方向前端の回転中心軸線Ｘからの距離が一定になるように、各段差部35の高さ寸法が回転方向後側の面板31，32の大きさに応じて設定されている。このため、各面板31，32の回転方向後端の回転中心軸線Ｘからの距離は、一定ではない。
【００３８】
なお、図５から明らかなように、回転中心軸線Ｘからの距離が一定である基準面Ａ上に、各面板31，32の回転方向前端が位置している。そして、例えば互いに隣り合う大面板31および大面板31間の段差部35の高さ寸法ＨＬは、互いに隣り合う大面板31および小面板32間の段差部35の高さ寸法ＨＳよりも大きい。
【００３９】
また、図４（ａ）ないし（ｃ）から明らかなように、各段差部35の中心側の高さ寸法Ｈ1は、外周側の高さ寸法Ｈ2よりも大きい。なお、中心側の高さ寸法Ｈ1と外周側の高さ寸法Ｈ2とを同じ寸法にしてもよい。
【００４０】
さらに、畦側面形成体６は、図３等に示されるように、短筒状で円錐台状のベース部材36と、このベース部材36の内面側に固着されたボス部材37とを有している。そして、ベース部材36には、各面板31，32の中心側の端部が溶接により固着されている。ボス部材37の軸挿通部38には、回転軸26が挿通固定されている。また、ボス部材37に対して畦上面形成体７が脱着可能に取り付けられている。
【００４１】
次に、畦塗り機１の作用等を説明する。
【００４２】
畦塗り機１をトラクタの後部に連結した状態で、トラクタの走行により畦塗り機１を進行方向へ移動させると、上面削り体９が元畦の上面部を削り、その進行方向後方で盛土体３が田面および元畦の土を耕耘してその耕耘土を元畦上に盛り上げ、その進行方向後方で畦形成体４が回転しながら盛土体３による盛土を締め固めて新畦を形成する。
【００４３】
この際、畦形成体４の畦側面形成体６の大面板31および小面板32は、回転中心軸線Ｘを中心として回転しながら、盛土体３による盛土を回転方向後側外面の作用面34で元畦側に押し込んで締め固めて新たな畦側面を形成するが、これら畦側面形成板である面板31，32による土の押圧間隔は、一定間隔ではなく、各面板の中心角の大きさによって変化する。
【００４４】
そして、このような畦塗り機１によれば、互いに大きさが異なる少なくとも２種類で複数枚の面板31，32が盛土体３による盛土を回転方向後側で押し込んで締め固めるため、従来とは異なり面板による土の押圧間隔が一定間隔ではなく、その結果、例えば乾田や湿田といった土の状態等の圃場条件に拘わらず、様々な圃場条件で安定した畦塗り作業ができ、よって、畦塗り機１の汎用性が向上する。
【００４５】
すなわち例えば、乾いた土に対しては、大面板31で強く締め付けることができるとともに、小面板32で軽く締め付けた後に大面板31で強く締め付けるという段階的な畦成形により、強固な崩れにくい新畦を形成でき、また、湿った土に対しても、小面板32があることで一度成形した畦の表面の掻き出しを低減でき、強固な崩れにくい新畦を形成できる。
【００４６】
また、一の面板31，32に対して回転方向前後に隣り合う２枚の他の面板31，32のうちの少なくともいずれか一方は、その１枚の一の面板31，32と大きさが異なるため、より安定した畦塗り作業ができる。
【００４７】
さらに、畦側面形成体６が互いに大きさが異なる２種類のみの面板31，32を有する構成であるから、３種類以上の面板を有する構成に比べて、組立て等が容易である。
【００４８】
なお、畦塗り機１は、互いに隣り合う畦側面形成板間の段差部35の高さ寸法がそれら両畦側面形成板のうちの回転方向後側の畦側面形成板の大きさに応じて設定された構成（後側面板を基準とする構成）には限定されず、例えば図６に示す第２の実施の形態のように、互いに隣り合う畦側面形成板（面板31，32）間の段差部35の高さ寸法が、それら両畦側面形成板のうちの回転方向前側の畦側面形成板の大きさに応じて設定された構成（前側面板を基準とする構成）でもよい。
【００４９】
この図６に示す構成では、各面板31，32は、畦側面形成体６の回転中心軸線Ｘからの距離が回転方向前端から回転方向後端に向かって徐々に増大するように配設され、かつ、各面板31，32の回転方向前端の回転中心軸線Ｘからの距離が一定になるように、各段差部35の高さ寸法が回転方向前側の面板31，32の大きさに応じて設定されている。このため、各面板31，32の回転方向後端の回転中心軸線Ｘからの距離は、一定ではない。
【００５０】
この図６から明らかなように、回転中心軸線Ｘからの距離が一定である基準面Ａ上に、各面板31，32の回転方向前端が位置している。そして、例えば互いに隣り合う大面板31および小面板32間の段差部35の高さ寸法ＨＬは、互いに隣り合う小面板32および小面板32間の段差部35の高さ寸法ＨＳよりも大きい。
【００５１】
また、各畦側面形成板の回転方向前端の回転中心軸線Ｘからの距離が一定になるように、段差部35の高さ寸法が畦側面形成板の大きさに応じて設定された構成には限定されず、例えば図７に示す第３の実施の形態のように、畦側面形成体６の上下振動の抑制等のために、各畦側面形成板（面板31，32）の回転方向後端の回転中心軸線Ｘからの距離が一定になるように、各段差部35の高さ寸法が畦側面形成板の大きさに応じて設定された構成でもよい。
【００５２】
この図７に示す構成では、各面板31，32は、畦側面形成体６の回転中心軸線Ｘからの距離が回転方向前端から回転方向後端に向かって徐々に増大するように配設され、かつ、各面板31，32の回転方向後端（高さの高い部分）の回転中心軸線Ｘからの距離が一定になるように、各段差部35の高さ寸法が回転方向後側の面板31，32の大きさに応じて設定されている。このため、各面板31，32の回転方向前端（高さの低い部分）の回転中心軸線Ｘからの距離は、一定ではない。
【００５３】
この図７から明らかなように、回転中心軸線Ｘからの距離が一定である基準面（畦側面形成体の外周面）Ａ上に、各面板31，32の回転方向後端が位置している。そして、例えば互いに隣り合う大面板31および大面板31間の段差部35の高さ寸法ＨＬは、互いに隣り合う大面板31および小面板32間の段差部35の高さ寸法ＨＳよりも大きい。
【００５４】
さらに、例えば図８（ａ）および（ｂ）に示す第４の実施の形態のように、各面板31，32がベース部材36の外面側にボルト41によって脱着可能に取り付けられた構成でもよい。
【００５５】
この図８に示す構成では、ベース部材36は、図３のものよりも大きな円錐台状に形成され、このベース部材36には、複数の面板取付用の孔部42が穿設されている。また、各面板31，32の内面には複数のナット43が溶接により固着されている。そして、ボルト41がベース部材36の孔部42に挿通されてナット43に螺着されることにより、各面板31，32がベース部材36にそれぞれ個別に取り付けられている。このため、連結板33は不要であり、各面板31，32を個別に交換することも可能である。なお、例えば図示しないが、互いに隣り合う面板同士を連結部材で連結したドラム状のものをベース部材36に脱着可能に取り付けた構成等でもよい。
【００５６】
また、例えば図９に示す第５の実施の形態のように、一の畦側面形成板（例えば大面板31または小面板32）と回転方向前後に隣り合う他の畦側面形成板のうちの両方が、その一の畦側面形成板と中心角の大きさが異なる構成でもよい。この構成では、大面板31と小面板32とが交互に並んだ状態となっている。
【００５７】
さらに、例えば図１０に示す第６の実施の形態のように、畦側面形成体６が、互いに中心角の大きさが異なる２種類で９枚の扇形状の畦側面形成板、すなわち例えば３枚の大面板31と、６枚の小面板32とを有する構成でもよい。
【００５８】
また、例えば図１１に示す第７の実施の形態のように、畦側面形成体６が、互いに中心角の大きさが異なる３種類で９枚の扇形状の畦側面形成板、すなわち例えば３枚の大面板31と、３枚の小面板32と、３枚の中面板（畦側面形成板）46とを有する構成でもよい。
【００５９】
さらに、例えば図１２に示す第８の実施の形態のように、畦側面形成体６が、互いに中心角の大きさが異なる４種類で８枚の扇形状の畦側面形成板、すなわち例えば２枚の大面板31と、２枚の小面板32と、２枚の中面板46と、２枚の特大面板（畦側面形成板）47とを有する構成でもよい。
【００６０】
また、例えば図示しないが、互いに中心角の大きさが異なる５種類で１０枚の扇形状の畦側面形成板を有する構成や、互いに中心角の大きさが異なる８種類で８枚の扇形状の畦側面形成板を有する構成等でもよく、互いに大きさが異なる少なくとも２種類で複数枚の畦側面形成板を有する構成であればよい。
【００６１】
なお、整畦板である畦側面形成板の枚数は、例えば６〜９枚が好ましいがこれ以外の枚数でもよく、また、扇形状をなす各畦側面形成板の中心角は、２０°〜７２°であり、好ましくは３０°〜６０°である。
【００６２】
また、畦側面形成板は、扇形状以外に例えば矩形状等でもよく、また、例えば弾性変形可能な弾性板からなるものでもよい。
【００６３】
さらに、回転方向に互いに隣り合う畦側面形成板間の段差部の高さ寸法に関し、例えば段差部の外周側（裾側）の高さ寸法を畦側面形成板の大きさに拘わらずに一定とし、段差部の中心側の高さ寸法のみを畦側面形成板の大きさに合わせて変えるようにしてもよい。
【００６４】
なお、本発明のいくつかの実施の形態およびその変形例について説明したが、本発明の要旨を逸脱しない範囲で、前記実施の形態および変形例を適宜組み合わせることも可能である。
【符号の説明】
【００６５】
１    畦塗り機
３    盛土体
６    畦側面形成体
31    畦側面形成板である大面板
32    畦側面形成板である小面板
35    段差部
46    畦側面形成板である中面板
47    畦側面形成板である特大面板
Ｘ    回転中心軸線
【図１】
2015019624.tif 000003
【図２】
2015019624.tif 000004
【図３】
2015019624.tif 000005
【図４】
2015019624.tif 000006
【図５】
2015019624.tif 000007
【図６】
2015019624.tif 000008
【図７】
2015019624.tif 000009
【図８】
2015019624.tif 000010
【図９】
2015019624.tif 000011
【図１０】
2015019624.tif 000012
【図１１】
2015019624.tif 000013
【図１２】
2015019624.tif 000014